(57)【要約】【課題】ゴルフボールを押圧挟持部材とした用紙挟持具において、ボールを弾発的に回動保持構成して挟持紙着脱時における挟持機能の改善を図り、併せて、ワンタッチ着脱を課題とする。【解決手段】本発明に係る好ましい実施態様の用紙挟持具としては、人工芝が敷設された基板上に回動保持部材を介して弾発的に回動保持されたゴルフボールと、人工芝とで形成される圧接部にゴルフボールを回動しつつ挟持紙を着脱する構成の用紙挟持具である。  人工芝が敷設された基板上に弾発的に回動保持されたボールは、穴開け等の２次加工を要することなく押圧挟持部材としての適用ができ、ボールの差替えを可能にするとともに、転動体を用いて用紙挟持具を構成する際の前記従来の課題解消を図る。【選択図】    図３
2006224308.tif 000002
【特許請求の範囲】
【請求項１】
基板と、前記基板に対して回動保持部材を介して弾発的に回動保持されたボールとを備えて構成され、
前記ボールの周縁部が前記基板面に対して圧接態様とされた圧接部が形成され、該圧接部への挟持紙の挿入に伴って前記ボールが少なくとも挿入方向に回動されて、前記挟持紙が前記圧接部に押圧挟持されるように構成されたことを特徴とする用紙挟持具。
【請求項２】
前記ボールは、前記ボールに設けられた回動穴が軸支されて回動自在に保持構成されたことと、前記基板に敷設されたクッション部材とを備えて構成されたこととを特徴とする請求項１に記載の用紙挟持具。
【請求項３】
前記ボールは、前記ボール直径寸法より小さいボール周縁部が前記回動保持部材によって弾発的に回動保持されたことと、前記基板に敷設されたクッション部材とを備えて構成されたこととを特徴とする請求項１に記載の用紙挟持具。
【請求項４】
前記ボールがゴルフボールであり、更に、前記クッション部材として人工芝を用いて構成されたことを特徴とする請求項１乃至請求項３のいずれか一つに記載の用紙挟持具。
【発明の詳細な説明】
【技術分野】
【０００１】
本発明は、メモ用紙や書類等を一時的に挟持保持するためのボール（ゴルフボール等）を用いたワンタッチ着脱式の用紙挟持具に関する。
【背景技術】
【０００２】
メモ用紙や書類等（以下の説明では、メモ用紙や書類等を総称して単に挟持紙と称して説明することもある）を一時的に挟持保持する保持具として、古くから、マグネット、鋲及びばね式クリップ等の保持具が用いられていることは周知の通りである。
一方、本発明と係りのある挟持紙をボール（球体）の転動体で押圧挟持するようにした公知技術の紙挟み具の構成に関して、例えば、ボールを用いたクリップとして文献１（特許文献１）が開示されている。また、ボールの重量を利用して用紙を押圧挟持するようにした構成技術が、例えば、文献２（特許文献２）に開示されている。
更に、ボールやローラの転動体を用いた構成により、前記公知技術における挟持紙抜取時の課題解消を図った用紙挟持具が文献３（特許文献３）によって開示されている。
【特許文献１】特公昭５９−４４２３６号公報
【特許文献２】特開２００３−１８２２７５号公報
【特許文献３】特開２００４−１６０９５３号公報
【発明の開示】
【発明が解決しようとする課題】
【０００３】
先ず、前記マグネットやばね式クリップの用紙保持具は、挟持紙がワンタッチ操作では着脱できない不便さや、複数枚の挟持紙から一枚目を抜取った際に他の残紙も一挙に抜け落ちてしまう不便課題がある。
一方、本特許願の構成内容と係りのある前記開示技術に関し、ボール（球体）の転動体で用紙を押圧挟持するように構成された紙挟み具の公知技術における前記特許文献からの構成要部の図面を図８以降に示し、該引用図面を参照しつつ紙挟み機能や本発明と公知技術の構成差異に基づく転動体の作動状況の違いについて以下に説明する。
【０００４】
図８は、前記特許文献１の特公昭５９−４４２３６号公報から引用した斜視図である。  この開示技術の紙挟み具１００では、図示のように取付板１０１と斜板１０３でポケット１０２と称する傾斜面を形成し、直径を異にした複数個のボール２を縦方向に挿入して紙挟み具１００を構成している。
この紙挟み具１００では、下矢印Ａ方向から挿入されたメモ用紙等１９は傾斜面に挿入されたボール２によって取付板１０１に強く押圧挟持されることになるが、該挟持態様から挟持紙１９をＡ方向の下方に抜取るべく強く引張った場合は、ボール２の喰い込みによる楔効果で挟持紙端が破けてしまう課題がある。
【０００５】
そこで、本公知技術の紙挟み具１００では挟持した挟持紙１９を図８に示すように横Ｂ方向に抜取るようにして課題解消する構成が開示されている。因みに、本公知技術と類似構成に基づく紙挟み具１００は既に製品化がなされている。
また、図８の紙挟み具１００においては図示のように複数枚のメモ用紙等１９を挟持した態様から一枚目を横方向に引抜いた際は、残紙が一緒に引き摺られて一挙に抜け落ちる欠点があり、従って、予め複数枚を挟持する必要のある場合には、その都度、挟持紙１９を挿入し直す操作を必要とする不便課題がある。
【０００６】
次に、図９は前記特許文献２の特開２００３−１８２２７５号公報に薄物挟持具１０４として記載されている正面図と側面図を引用して示した図である。
本紙挟持具１０４では、平板部１０５に対して二面が図示のように夫々４５度の傾斜角度を有するようにしたＬ字型板部１０６の上下部が平板部１０５との間に間隙を設けて、横板部１０７で取付け、平板部１０５とＬ字型板部１０６間に多数のボール２を挿入配置し、挟持紙１９をボール重量で押圧挟持するようにした構成である。
この開示技術の挟持具１０４においても、傾斜面に配設したボール２の重力分散ベクトルによって挟持紙１９は、平板部１０５に強く押圧挟持されので下方へは抜取れないのであり、挟持紙１９は上方へ抜取る構成とされている。
【０００７】
さて、図１０に引用した前記特許文献３の特開２００４−１６０９５３号公報は、実は本出願人と同一人による発明の紙挟み具１０８に係り、傾斜部１１１に配設したボール２やローラの転動体で用紙を押圧挟持する構成と関連して、特に、挟持紙１９の抜取時の不便課題を一掃し得るようにした発明の紙挟み具１０８の構成である。
即ち、この紙挟み具１０８では図示のように挟持紙１９を背面側から表面パネル１０９側にボール２で押圧挟持し、且つ、挟持紙１９を上矢印方向に抜取る構成としたことで、図１０に示すように複数Ｎ枚の挟持態様から、表面パネル１０９に接した一枚ずつを、残紙を落下させることなくに上方向へ順次に抜取れる構成として、前記開示技術における技術課題の解消を図り得た紙挟み具１０８である。
【０００８】
従って、前記開示技術を適用して、例えば、原稿ホルダーを構成した場合には、予め、複数枚の原稿挟持態様から入力済みの一枚ずつが順次に抜取れるのであり、キーボードからの入力作業が効率的に行える原稿ホルダーを構成し得る。
しかし、この開示技術では挟持紙を上方向に抜取る構成のため、挟持紙の幅サイズよりも紙挟み具１０８の幅寸法を広めに構成する必要があり、コンパクト性が要求される所謂、メモクリップ用としての構成には適さないものであった。
【０００９】
そこで、本発明では前記開示技術における前記各課題に鑑み、ボールを用紙押圧部材として構成する用紙挟持具における、特に、挟持紙抜取時の前記課題に対し、挟持紙が挿入された下方向へ片手ワンタッチ操作で抜き取れるようにして前記重要課題の解消を図る。
即ち、好ましい実施形態ではクッション部材が敷設された基板上の挟持紙押圧部材として大径ボール（ゴルフボール等）を用い、該回動保持部材を介して弾発的に回動保持構成し、少なくとも、用紙挿入に伴ってボールが挿入方向に回動される構成を前提としたもので、挟持紙が下方からワンタッチ着脱されるとともに、複数枚の挟持態様から一枚ずつが抜取れる用紙挟持具の提供を目的とする。
【００１０】
本出願人は、本特許願の用紙挟持具と関連した構成態様により、ゴルフボールと人工芝を組合せた用紙挟持具の発明を先に行い、既に、特許願２００４−２５９５１９号（平成１６年９月７日出願）として特許出願中である。
本発明は、本出願人と同一発明人による前記用紙挟持具１に対して、特に、下記３点の課題改良を図ることを発明の狙いとする。即ち、
（１）第一の改良課題点は、ボールを回動自在構成とするための回動保持部材を基板（筐体）に対して弾発的に保持構成し、挟持機能の改善を図ること。
（２）第二の改良課題点は、上記項と構成関連した最良の実施形態においては、ボールを前記回動保持部材で弾発的に回動保持する構成と関連して、ボールに回動軸支穴を設けることなく、用紙挟持具の組立後にボール差替えが自在に行える構成とし、挟持機能、生産性、商品性を一層改善した用紙挟持具の提供を目的とする。
（３）上記（２）の構成に関連して、挟持紙が用紙挟持具の下方向のみならず、左右方向からの着脱も可能となる。
【課題を解決するための手段】
【００１１】
前記課題を解決するために、本発明の用紙挟持具は次のように構成される。
第１発明の用紙挟持具は、基板と、前記基板に対して回動保持部材を介して弾発的に回動保持されたボールとを備えて構成され、
前記ボールの周縁部が前記基板面に対して圧接態様とされた圧接部が形成され、該圧接部への挟持紙の挿入に伴って前記ボールが少なくとも挿入方向に回動されて、前記挟持紙が前記圧接部に押圧挟持されるように構成された用紙挟持具である。
【００１２】
第２発明の用紙挟持具は、前記第１発明の用紙挟持具において、
前記ボールは、前記ボールに設けられた回動穴が軸支されて回動自在に保持構成されたことと、前記基板に敷設されたクッション部材とを備えて構成された用紙挟持具である。
【００１３】
第３発明の用紙挟持具は、前記第１乃至第２発明の用紙挟持具において、
前記ボールは、前記ボール直径寸法より小さいボール周縁部が前記回動保持部材によって弾発的に回動保持されたことと、前記基板に敷設されたクッション部材とを備えて構成された用紙挟持具である。
【００１４】
第４発明の用紙挟持具は、前記第１乃至第３発明の用紙挟持具において、
前記ボールがゴルフボールであり、更に、前記クッション部材として人工芝を用いて構成された用紙挟持具である。
【発明の効果】
【００１５】
本発明の好ましい実施形態としては、クッション部材としての人工芝７（以下の説明では、クッション部材のことを人工芝と称して説明することもある）が敷設された基板上に回動保持部材を介して弾発的に回動保持されたゴルフボール（以下の説明では、ゴルフボールを含めた押圧挟持部材のことを単にボールと称して説明することもある）を用いて、メモ用紙や書類等を押圧挟持する構成の用紙挟持具であって、以下に列記する効果や特徴がある。
【００１６】
本発明に係る第１実施例の用紙挟持具によれば、回動穴が加工されたボールに対して回動保持部材を介して、例えば、人工芝が敷設された基板上に回動自在に軸支構成するとともに、前記ボール周縁部が人工芝に所定接触圧で圧接される圧接部が形成され、該圧接部への挟持紙の着脱操作に伴って前記ボールが回動される構成からなり、用紙挿入及び該抜取操作が同一下方向に対して片手のワンタッチ操作で行い得、従来の前記特許文献に開示されているボールを用いた用紙挟持具における、特に、挟持紙抜取時の課題が良好に解消し得る。
【００１７】
本発明に係る第２実施例の用紙挟持具によれば、前記第１実施例に係る用紙挟持具の構成に対して、更に課題解消を図った改良点としてボールに回動軸支用の穴加工をすることなく、回動保持部材を介し基板上のボールを弾発的に、且つ、回動自在に保持構成されており、ゴルフボールを用いた場合も穴開けの二次加工をすることなく、ボールそのままを用紙押圧部材として活用でき、商品性が高められてコスト的にも有利な構成となる。
従って、用紙挟持具の生産時にボールを後付けとし得る点、生産性の向上が図れて使用者が所望ボールへの差替えができるので用紙挟持具商品としての大きな効果を奏する。
【００１８】
本発明に係る第３実施例の用紙挟持具によれば、前記第２実施例に係る用紙挟持具の構成に対して、更に、用紙挟持具の主要構成部品である基板、弾発性を備えた回動保持部材、及び、基板に対する人工芝敷設用の挟持部を含め、例えば、ポリプロピレン（ＰＰ）、ポリカーボネート（ＰＣ）等のプラスチック素材を用いて用紙挟持具を一体成形することができて、機能、外観、コスト的な見地から大いに有利な構成となる。
【００１９】
本発明に係る第４実施例の用紙挟持具によれば、前記第３実施例に係る用紙挟持具の構成と内容関連して、主要構成部品である回動保持部材に対して、例えば、ステンレス鋼（φ２）のばね材で加工して用いることにより、回動保持部材として該素材自体の弾力性を利用して屈曲部を構成することができる。
【００２０】
そして、最良の実施形態としては前記各実施例における押圧挟持部材にゴルフボールを用いるとともに、人工芝を基板に敷設した実施形態ではゴルフボールに形成されたディンプルと称する円形のくぼみ部分が、人工芝のパイル素材との弾力作用で挟持効果が高められて好適な用紙挟持具の構成となし得る。
一方、前記第２、第３及び第４実施例おいては、挟持紙が用紙挟持具の下方向のみならず、左右方向からの着脱も可能となる。そして、人工芝が敷設された基板上に回動保持部材を介して弾発的に回動保持されたボール周縁部が人工芝に接触される該圧接部に挟持紙を挿入挟持する構成とした結果、２０枚程度のＡ４サイズ用紙を安定に挟持保持し得るのであり、また、複数枚の挟持紙に重ねて挿入挟持したり、複数枚の挟持紙から一枚ずつを抜取る際は、一気抜き操作とすることにより、残紙が余り抜け落ちることなく（慣性でボールが回転しない）目的が果せる。
【００２１】
更に、ゴルフボールと人工芝の組合せからなる用紙挟持具は意匠的にも見栄えが良く、機能的には挟持紙の着脱に伴ってボールを挿入方向に回動したり、抜取方向に対しては、非回転の態様としたりの構成により、挟持紙が下方向へワンタッチで着脱可能な挟持機能を備えたユニークな用紙挟持具が実現可能となる。
【発明を実施するための最良の形態】
【００２２】
本明細書では、発明の構成を理解し易くするために同一構成、同一作用をする要素部分には同一の符号と同一の名称を付して以下図面を参照しつつ説明する。
先ず、本発明の実施形態として図１に示す挟持紙の押圧部材用のボール２としては、図示のようにゴルフボール２を用いることができる。更に、クッション部材７の具体的実施例としては、所謂、人工芝を用いて基板５に敷設する構成により好適に所期目的が達成される。
そこで、本発明の主要な構成部品要素をなすゴルフボール２とクッション部材としての人工芝７に関し、先ず、概要を参考記載する。
【００２３】
最初に、公認ゴルフボールの規格等の一部について所要事項を記載する。
図１（ａ）に外観を示し、図１（ｂ）に内部断面構造を例示するゴルフボール２は、因みに、直径：４２．６７ｍｍ（１．６８インチ）以上、重さ：４５.９３ｇ（１.６２オンス）以下等と、公認球としての規格が規定されている。
そして、図１（ｂ）に断面構造例を示したゴルフボール構造には、ツーピース型の２重構造やスリーピース型の３重構造及び糸巻き構造等の種類がある。図１（ｂ）の構造例は、センター（芯）１２部に糸ゴム１３を巻付け、表面にカバー１４を被覆した３層構造型を例示しており、本発明の第１実施例ではボール２に軸支用回動穴３を加工して用いている。
【００２４】
また、ボール２表面部には、空気抵抗を抑えて飛距離をのばす等の目的から、図１に図示するようなディンプル２ａと称する多数の円形のくぼみが加工形成されている。そして、該ディンプル２ａの配列には８面体、１２面体、２０面体等があってディンプル２ａの大きさにも大小がある。
本発明の押圧挟持部材としてゴルフボール２を用いた場合、ボール表面に形成された前記ディンプルが人工芝のパイル素材弾力と挟持効果を高めるのに効果的に作用し、好適な用紙挟持具の構成が可能となる。
【００２５】
次に、本発明の構成要素として基板５に敷設して用いる人工芝７について記述する。
本発明の用紙挟持具１の基板５〔図１（ｃ）参照〕に敷設するクッション部材としては、スポンジ等の弾発部材やゴム素材をヒゲ状に形成したものを敷設して用いることもできるが、近年、テニスコートやサッカー場、ゴルフマット等の敷設用として普及しているナイロンや、耐候性ポリプロピレン（ＰＰ）素材等をＰＰやエステル基布上に植毛状に形成したパイル長が７ｍｍ前後に加工された、所謂、人工芝をクッション部材として敷設すると好適である。
即ち、人工芝は植毛状に加工されたパイル素材の弾力や摺動摩擦抵抗が用紙挟持機能を高めるとともに挟持紙抜取時に該摺動静摩擦力が効果的に作用する。本発明に用いるクッション部材としては人工芝７が適材適所である。
そして、ゴルフボール２と人工芝７との組合せは意匠的にも見栄えが良く、商品性やユニーク性が高められる（図３、図５参照の実施例参照）。
【実施例１】
【００２６】
さて、図１は本発明の第１実施例に係る用紙挟持具１を示す図である。
図１（ａ）は外観斜視図、図１（ｂ）は図１（ａ）におけるＡ−Ａ線での断面図、図１（ｃ）は第１実施例の各構成部品及び組立状況を示し、図１（ｄ）はボール２を押圧挟持部材とした回動保持部材４ａの組立体、そして、図１（ｅ）はクッション部材７を基板５に敷設せずに実施した他実施例のＡ−Ａ線断面態様を各々示している。
【００２７】
以下、図１（ａ）〜図１（ｅ）の各図を同時参照しつつ、図面に基づいて構成部品と組立状況から順次説明する。図１（ｃ）は用紙挟持具１を構成する基板５を中央に配設した各構成部品の組立対応関係を示している。基板５は背面板５ａに圧入穴５ｂを設けた図示のようなＬ字型の単純形体であるが、本第１実施例では背面板５ａに回動保持部材４を圧入固着するための２つの傾斜圧入穴５ｂを備え、更に、後述するようにＬ字型の背面板に屈曲動作をさせるための構成として屈曲（切欠）部６が加工されている。
そして、基板５の素材としては、例えば、ポリプロピレン（ｐｐ）、ポリカーボネート（ｐｃ）等のプラスチックで成形加工し、成形基板が適宜弾発力を帯びるようにしてある。
【００２８】
次に、第１実施例に係る用紙挟持具１の組立方法を図１（ｃ）に基づいて説明する。
前記した人工芝７の裏側７ａに両面粘着テープ、または、接着剤を用いて基板５の表面５ｃに人工芝７を敷設し、更に、基板５の裏面５ｄにはシート状のマグネット８の貼着面８ａを同様に貼着する。
一方、ゴルフボール２に回動穴３として、例えば、穴径：φ３（ｍｍ）を貫通加工し、該回動穴３に回動保持部材４の回動支軸用として、例えば、φ２のステンレス線を回動穴３に貫通して図１（ｄ）のように両側を９０°曲げ加工し、ボール２を回動軸支した回動保持部材４の組立体４ｂを構成する。
【００２９】
さて、図１（ｄ）の回動保持部材の組立体４ｂにおける差込端４ａを基板５の両圧入穴５ｂに圧入固着して組立されたのが図１（ａ）に示す用紙挟持具１である。なお、図４とともに後述するように図１（ａ）の着脱方向９に挟持紙１９（メモ用紙、書類等）の着脱時に、この第１実施例ではボール２が矢印の双方向１０ａ、１０ｂに回動される構成である。
なお、回動保持部材４の前記差込端４ａを圧入穴５ｂに挿着した際に回動軸支されたボール２周縁部は図１（ｂ）の断面図のように、人工芝７の植毛状パイルに対して、人工芝９に１〜２ｍｍの深さ、練り込んだ態様で圧接部１１が形成されるように予め設定してある。
【００３０】
そして、前記したように本発明に係る用紙挟持具１では、本出願人の前記先願関連発明からの第一の改良点は、前記したようにポリプロピレン（ｐｐ）、ポリカーボネート（ｐｃ）等のプラスチック素材で成形加工するとともに、図１（ｂ）の断面図に示した背面板５ａに切欠部を加工し、該屈曲部６によって回動保持部材４が基板５に対して弾発的に構成されるように改良したものである。
即ち、回動保持部材４を介して支軸されたボール２が基板５に対して弾発的な回動支持構成とされる。従って、図１（ｂ）においてボール２を基板５から離脱させる方向に力を加えた際は、図１（ｂ）に示すようにボール２の上下方向に対して破線矢印のような弾発力１５が作用する構成態様となる。
【００３１】
従って、本発明の用紙挟持具１ではボール２を人工芝が敷設された基板上に回動保持部材を介して弾発的に回動保持した構成により、例えば、通常のＡ４サイズのコピー用紙は１０枚で厚さが略１ｍｍ、重さは略４０ｇとなるが、上記押圧挟持部材の弾発作用効果によって、２０枚位の多数枚の挟持紙をも安定に挟持し得るのであり、ゴルフボールの重量（略４６ｇ）との相乗効果で恒久的に安定した押圧挟持力が得られる構成となる。
因みに、図１（ｃ）における用紙挟持具１の基板５の実施例寸法は、Ｗ：５０ｍｍ、Ｈ：６０ｍｍとしている。
【００３２】
次に、図１（ｅ）は前記第１実施例の態様を一部変形した実施例に関し、Ａ−Ａ線断面図として示している。即ち、本実施例では前記図１（ｂ）に示した断面図からクッション部材７を取り除いた形態であり、前記図１（ｃ）における基板表面５ｃにクッション部材を敷設することなく、ボール２周縁部を基板５に直接圧接する形態で圧接部１１を形成し、この実施形態では図４に示す挟持紙１９がボール周縁部で基板５に直接圧接挟持される構成形態とされる。
なお、本実施形態とする場合には、図１（ｃ）における基板表面５ｃを幾分粗面状に加工するとよく、図１（ｅ）における前記第１実施例態様では、挟持紙１９が、数枚程度と少なくてよい場合の構成としては充分目的が果せ得る。
【００３３】
更に、図２は第１実施例にボール２の逆転ストッパー機構を付加した他の実施例態様である。本実施形態は、図２に図示するように筐体部全体の基板５及び回動保持部材４を含めて、プラスチックで一体的に金型成形加工した用紙挟持具１の構成である。即ち、ストッパー付として変形した第１実施例の外観斜視図を図２（ａ）に示す。
この実施例の構成では、基板５、ボール２支軸用の回動保持部材４、及び、ボール２の逆転衝止用ストッパー１６を含め、全筐体がプラスチックで一体成形されている。図２（ｂ）は基板５にクッション部材７やマグネット８が貼着された態様を示す。即ち、この実施例では図２（ｂ）のように成形加工された回動保持部材４の屈曲部６が、矢印で示した上下方向１５ａ、左右方向１５ｂに対して弾発的に加工形成されている。
【００３４】
そして、基板５に対して人工芝７やマグネット８が貼着され、回動保持部材４の軸支端１７ａ、１７ｂを矢印の開口方向１５ｂに開いて、該軸支端１７ａ、１７ｂにボール２の回動穴３を嵌め合せて図２（ａ）の用紙挟持具１が組立られる。
本実施例におけるストッパー１６は、図４（ｂ）とともに後述する挟持紙抜取時に、図２（ａ）、（ｂ）のように背面板５ａから立ち上がった板部材に切欠部１６ａを備え、該切欠部１６ａで先端爪が柔軟屈曲される加工形態とされて、ストッパー１６の爪先端部がゴルフボール表面に形成されたディンプル（くぼみ）２ａに係合し、図２（ａ）における破線矢印１０ｂ方向に対し、抜取時にボール２が逆転防止される構成である。
なお、図４（ｂ）に示すように用紙挟持具１における多数枚の挟持態様から表の一枚ずつを順次抜取る際に、ボール２を逆転防止すると残紙１０ｂの落下防止に効果がある。
【実施例２】
【００３５】
次に、図３の各図は本発明の第２実施例に係る用紙挟持具１を示す図である。
本用紙挟持具１の発明における前記本出願人の先願発明からの特徴的な大きな前記第二の改良点は、前記第１実施例で示した回動穴３をボール２に加工することなく、本発明が目的とする用紙挟持具１の実現を図ることである。
即ち、ボール２に二次加工を施すことなく、回動保持部材４を介して基板５上に弾発的に回動保持する構成に伴って、用紙挟持具１へのボール２着脱が組立後に行えるようにしたもので、使用者がボール差替えを自在に行えることになる。
図３（ａ）は、第２実施例における外観斜視図、図３（ｂ）は回動保持部材４の部品単体を示しており、この第２実施例における回動保持部材４としては、例えば、φ２のステンレス鋼で図示の形状に加工されて、ボール直径寸法より若干小さいボール周縁部を回動保持する構成で実施されるが、該構成の詳細については図７とともに後述する。
【００３６】
図３（ｃ）は、基板５の背面板５ａの圧入穴に回動保持部材４の差込端４ａが圧入固着５ｅされて組立られた用紙挟持具ホルダー１ａの外観を示している。
そして、図３（ｄ）は前記図３（ｃ）のように組立られた用紙挟持具ホルダー１ａに、ボール着脱方向２ａ、２ｂからボール２を挿込む組立状況の側面図を示しており、この第２実施例では図３（ｄ）に示すように、破線矢印２ａ、２ｂ方向からボール２を挿込むことで、基板５の切欠部６が図示破線のように屈曲されて回動保持部材４の先端部が破線矢印１５の方向に開き、ボール２が図３（ｄ）のように挿着されて、図３（ｅ）に示す側面図図の用紙挟持具１が組立られる。
【００３７】
従って、この第２実施例態様では生産者はボール２に穴加工等の２次加工をする必要がなく、筐体部分の組立後にボール２を挿着すればよいので組立が効率的に行え、更に、使用者は用紙挟持具１に挿着されたボール２を必要により、他のゴルフボール２と差替えができる特徴がある。
なお、本発明に係る用紙挟持具１の第２実施例以降の各実施態様では、図３（ｄ）のようにボール２が挿着されて回動保持された態様において、ボール２は図３（ｅ）に示すように、上下方向に１ｍｍ程度の遊びガタ２９を有する設定で組立構成されている。
一方、図３（ａ）における背面板５ａには、例えば、「Ｇボールクリップ」等と商品名やメーカ名を刻印したり、銘板シールの貼着面として用いることができて好都合である。
【００３８】
次に、図４の各図は前記第２実施例を用いて本発明に係る用紙挟持具１の使用態様を示した図である。
即ち、図４（ａ）、図４（ｂ）は基板５の裏面５ｄに貼着したマグネット８を冷蔵庫やボード面１８等に吸着させて挟持紙１９を着脱する使用態様を示しており、また、図４（ｃ）は自動車における車内２０のダッシュボード２１（運転操作の邪魔にならない位置）に固着して、通行券２２等をワンタッチ着脱するようにした使用態様を各々示している。
図３（ｅ）に示し、更に、図７とともに後述するように本発明に係る用紙挟持具１の第２実施例以降の各実施例態様では、回動保持部材４で回動保持されたボール２は、図４（ａ）に破線で示すよう上下方向に対して１ｍｍ程度の遊びガタ２９を有するように設定されている。
従って、該遊びガタ２９を設けたことにより、図４（ａ）のように該圧接部１１へ挟持紙１９を挿入操作した際、ボール２が挟持紙１９の挿入摩擦力で回動方向１０ａに円滑回転され、挿入方向９ａからの挟持紙１９が軽いタッチでワンタッチ挿入挟持される。
更に、前記図３（ａ）の第２実施例や以下に説明する第３、第４実施例の構成態様ではでは下方の着脱方向９のみならず、挟持紙を図示しない左右方向から着脱した場合もボール２が回動態様とされて、下方及び左右の三方向からの用紙着脱ができる特徴がある。
【００３９】
次に、図４（ｂ）は前記用紙挟持具１からの挟持紙１９の抜取態様を示している。特に、図４（ｂ）は複数枚の挟持紙１９の挟持態様から表の一枚目ずつを順次に抜取る際の態様を示しており、本第２実施例の構成では、挟持紙１９抜取に伴う摺動摩擦力によってボール２は、矢印の回動方向１０ｂに回動（逆転）されて一枚目の挟持紙１９ａが抜取られる。なお、残紙１０ｂが一緒に引き摺られて抜け落ちる紙質の場合は、勢いよく一気抜きにすることによりボール２は慣性作用で、逆転回動されないので殆ど残紙１９ｂを落下させずに抜取ることができる。
なお、図２とともに前記した逆転防止機構を設けたり、図７とともに後述する回動保持部材４の加工形状と関連して、ボール２を逆転衝止構成とする場合は、図４（ｂ）のように複数枚の挟持紙１９から、残紙１９ｂを余り落下させずに表面の一枚ずつが抜取れる。
【実施例３】
【００４０】
図５は、本発明の第３実施例に係る用紙挟持具１を示す図である。
図５（ａ）は、第３実施例の外観斜視図を示し、図５（ｂ）は図５（ａ）のＡ−Ａ線断面図を示している。また、図５（ｃ）は第３実施例と関連して基板５への人工芝７敷設における他の変形例を示している。この第３実施例では、図示のように基板５の両端に挟持部２４を設け、基板５に敷設すべき人工芝７の両端部を該挟持部２４に挿着構成するようにした実施例態様である。
上記基板５の構成により、所定寸法に切断された人工芝７を基板５側方から挿着敷設し得るので本実施例では、粘着テープを用いることなく人工芝７が基板面７に敷設される。一方、基板５の上端部には用紙挟持具１の壁面等への吊着用としてフック２５を備えて構成してある。
【００４１】
更に、本第３実施例では回動保持部材４を基板５と一体的にプラスチック成形加工した構成になっている。即ち、前記第２、第３実施例ではボール回動保持部材４の屈曲部６を背面板５ａに関連加工した実施例であったが、本第３実施例では図５（ｂ）のＡ―Ａ線断面図のように屈曲作用が支持脚２３で行えるようにした構成である。
図５（ｂ）に示すように、用紙挟持具１へのボール２着脱時は破線矢印２ａ、２ｂ方向からボール２を挿込んだり、取出したりする際に回動保持部材４の支持脚２３が破線のように屈曲され、回動保持部材４の先端部が着脱方向１５に開いてボール２が着脱される。
また、この第５実施例と関連して基板５への人工芝７の敷設態様としては、図５（ｃ）のように基板５に対する人工芝７の挟持端を若干長めの寸法で切断し、人工芝の両端部を挟持部２４に挿着することで、図示のように人工芝７の中央部を基板５対して若干膨らみ状に形成してクッション効果を高めることもできる。
【実施例４】
【００４２】
図６に本発明の第４実施例に係る用紙挟持具１の他の変形実施例を示す。
図６（ａ）は、第４実施例の外観斜視図を示し、図６（ｂ）には側面図を示している。前記第２実施例では、図３（ｂ）のようにボール２着脱時等に背面板５ａの切欠部が屈曲部６としての弾発作用をするようにした構成に対し、第４実施例では図６（ｂ）に示すように、例えば、φ２のステンレス鋼材で加工した回動保持部材４の構成体の弾発力を利用して、該構成体自体が屈曲部分２６で弾発作用をする構成とした実施例である。
即ち、本第４実施例は回動保持部材４を構成する素材自体の弾発力を利用し、回動保持部材４を基板５に対して弾発支持構成するように実施例態様であり、図６（ｂ）に示すように弾発的に回動保持されたボール２により、前記第２、第３実施例と同様機能に基づく用紙挟持具１を構成することができる。
【００４３】
おわりに、図７の各図は特に図３以下に示した前記第２、第３、第４の実施例におけるボール２を回動保持すべき回動保持部材４の加工寸法と該保持部態様、及び、ボール直径Ｒ寸法との関係態様を示しており、前記各実施態様では、前記ボール直径寸法より小さいボール周縁部が前記回動保持部材によって弾発的に回動保持される構成としている。
前記したように、例えば、図７（ｄ）に示す公認球としてのボール直径は、Ｒ＝４２．６７ｍｍ以上、と規定されている。本出願人は、因みに、市場に出回って実際に使用されている各社ボールメーカのゴルフボール２直径Ｒについて実測してみた。その結果、９０数％以上の殆どのボールは、直径が略４３ｍｍであることを検証確認した。
【００４４】
図７（ｄ）は、上記各実施例に示した回動保持部材４とボール２の回動保持時の摺動部分の関係を平面図として示している。本発明の実施態様では、前記ボール直径Ｒの検証結果に基づいて、図７（ｄ）に平面図で示す回動保持部材４により、ボール上部から回動自在に押圧保持するボール回動時の摺動部分２７に対する図７（ａ）、（ｂ）、（ｃ）の回動保持部材４の対応寸法ｄに関して、本実施例では、ｄ＝４１±０．５ｍｍの寸法で設定加工して実施し、満足すべき結果が得られている。
なお、図７（ｄ）に示すように回動保持部材４に弾発的に保持されたボール２は、前記したように上下方向に対して略１ｍｍの遊びガタ２９を有する設定態様に構成している。
【００４５】
回動保持部材４の実施態様について、更に、説明する。
図７（ａ）〜図７（ｄ）の各図は、回動保持部材４における前記回動時の摺動部分２７の中央部を結ぶ間隔寸法：ｄ、該ｄの中心点から先端内部分２８までの間隔：ｄ０、回動保持部材４を図７（ｃ）のようにリング状に形成した場合に、上記ｄと直交方向の内寸法：Ｄ、ボールの直径：Ｒとしての対応関係を示したのが図７の各図である。
そして、図７（ｄ）を用いて回動保持部材４とボール２の摺接回動の態様関係について以下に列記説明する。
【００４６】
先ず、図７（ａ）〜図７（ｂ）では回動保持部材４をｄ０≧ｄ／２の寸法関係で加工した態様を示しており、前記図４を同時参照しつつ説明する。
（１）ｄ０＝ｄ／２の関係で加工実施した場合、ボール２は挟持紙１９の挿入に伴って回動方向１０ａに円滑に回動挿入される。
一方、挟持紙１９の抜取時は図７（ｄ）に図示する先端部分２８がボール２と接触摺動され、該摺動摩擦抵抗のためボール２の表面状況や挟持紙の紙質によってボール２は抜取方向１０ｂに回動、または、非回動の何れかの態様とされる。
しかし、機能的にはどちらの態様とされても挟持機能としての目的は果せる。
（２）ｄ０＞ｄ／２の関係で加工実施した場合、ボール２は挟持紙１９の着脱に伴って回動方向１０ａ、１０ｂの双方向に円滑回動される。
この関係の具体的な加工構成としては、図７（ｂ）に示す回動保持部材４の先端部分２８を若干楕円形状とすればよい。更に、この実施例の構成と関連して図７（ｂ）の側面図に示すように先端部分２８をボール２側に若干曲げ加工して実施してもよい。
【００４７】
（３）ｄ＝Ｄ関係で加工実施した場合、図７（ｃ）は回動保持部材４をリング状とした加工例であるが、本実施例の構成ではｄ＝Ｄとして加工した場合、ボール２の回動摺接部分が円形態様になり、挟持紙着脱時の状況は前記（１）とほぼ同様な結果態様となる。
（４）ｄ＜Ｄ関係で加工実施した場合、ボール２の回動摺接部分は楕円態様となり、挟持紙着脱時の状況は前記（２）とほぼ同様な結果の態様となる。
従って、回動保持部材４のボール直径に対する加工寸法を上記（１）〜（４）のようにすることにより、挟持紙着脱時にボール２を双方向に回転態様としたり、挟持紙抜取にはボール２を非回転の態様としたり、意図的に逆転防止の態様に構成することもできる。
【００４８】
そして、上記何れの構成とした場合にも本発明に係る用紙挟持具１としての目的は良好に果せる。
また、前記図７に示した回動保持部材４において、例えば、ボール２との摺接部に突起状の素材で加工して用いたり、ゴム材等を被覆して用いた場合は、挟持紙１９の挿入時の回動を含めて非回動の態様として構成することもできる。斯かる実施態様とした場合には挟持紙１９の挿入抵抗は大きくなるが、用紙挟持具１としての構成目的は達成される。
更に、挟持紙の押圧挟持部材にボールを用いた場合の実施例を示したが、ボールに置換えてローラによる転動体を押圧挟持部材とした場合にも本発明の目的は達成し得る。
【図面の簡単な説明】
【００４９】
【図１】本発明第１実施例に係る用紙挟持具の外観及び断面と構成部品態様を示す図である。
【図２】本発明第１実施例に係る用紙挟持具の他の実施例外観と構成部品態様を示す図である。
【図３】本発明第２実施例に係る用紙挟持具の外観及び構成部品と組立態様を示す図である。
【図４】本発明第２実施例に係る用紙挟持具の使用態様を示す図である。
【図５】本発明第３実施例に係る用紙挟持具の外観と断面状況及び実施例を一部変形した態様を示す図である。
【図６】本発明第４実施例に係る用紙挟持具の外観及び側面図の態様を示す図である。
【図７】本発明各実施例に係る回動保持部材とボールとの寸法関係の態様を示す図である。
【図８】特許文献１の特公昭５８−４４２３６号公報から引用の開示技術である。
【図９】特許文献２の特開２００３−１８２２７５号公報から引用の開示技術である。
【図１０】特許文献３の特開２００４−１６０９５３号公報から引用した開示技術である。
【符号の説明】
【００５０】
１      用紙挟持具
２      ボール（ゴルフボール）
３      回動穴
４      回動保持部材
５      基板
６      屈曲部
７      クッション部材（人工芝）
８      マグネット
９      着脱方向
１０    着脱時の回動方向
１１    圧接部
１９    挟持紙（メモ用紙等）
２６    屈曲部分
２７    回動時の摺動部分
【図１】
2006224308.tif 000003
【図２】
2006224308.tif 000004
【図３】
2006224308.tif 000005
【図４】
2006224308.tif 000006
【図５】
2006224308.tif 000007
【図６】
2006224308.tif 000008
【図７】
2006224308.tif 000009
【図８】
2006224308.tif 000010
【図９】
2006224308.tif 000011
【図１０】
2006224308.tif 000012